(57)【要約】【解決手段】本発明は加工部材の角を斜面に加工する面取機に関し、特に面取機にコーナー用面取ツールを装着した後、コーナーに位置した角を隙間なく加工し、面取作業の完成度を改善し、アダプターに結合されたコーナー用回転カッターを曲線区間用カッターに交替する簡単な方法で曲線区間を加工し、面取機の利用分野を拡大可能にする多目的面取機に関する。かかる本発明は面取機に直角コーナー用面取ツール又は鋭角コーナー用面取ツールを選択的に装着してコーナーの深い位置にある角も隙間なく加工することができる技術を講ずるようにし、前記コーナー用面取ツールとアダプターに結合されたコーナー用回転カッターを順次分離した後、前記アダプターに新たな曲線区間用回転カッターを結合してコーナー区間の角を滑らかに加工することができる技術を講ずるようにし、前記直角コーナー用面取ツール及び鋭角コーナー用面取ツールは直線区間の角を加工する用途でも活用することができる技術を講ずることで実現される。（索引語）面取、支持ホルダー、アダプター、回転カッター、支持突起、面取ツール、コーナー【選択図】図２
2011500342.tif 000002
【特許請求の範囲】
【請求項１】
面取機（７）に結合され、ガイド板（１１）に締結孔（１３）が形成された支持ホルダー（１０）と；
前記面取機（７）の動力軸（５）に結合され、中央に挿入口（２１）が形成されたアダプター（２０）と；
前記挿入口（２１）に挟んで固定されたコーナー用回転カッター（３０）と；
前記締結孔（１３）に係合される固定具（４１）を介してガイド板（１１）に螺合され、上部面内、外側に同心円上にカッター露出孔（１２）の内面及びガイド板（１１）の外面に密着する支持突起（４３）が形成され、直角を形成する両側面（４４）の交差部に干渉防止部（４５）が形成された直角コーナー用面取ツール（４０）からなることを特徴とする多目的面取機。
【請求項２】
面取機（７）に結合され、ガイド板（１１）に締結孔（１３）が形成された支持ホルダー（１０）と；
前記面取機（７）の動力軸（５）に結合され、中央に挿入口（２１）が形成されたアダプター（２０）と；
前記挿入口（２１）に挟んで固定されたコーナー用回転カッター（３０）と；
前記締結孔（１３）に係合される固定具（４１）を介してガイド板（１１）に螺合され、上部面内、外側に同心円上にカッター露出孔（１２）の内面及びガイド板（１１）の外面に密着する支持突起（４３）が形成され、鋭角に形成された両側面（４４）の交差部に干渉防止部（４５）が形成された鋭角コーナー用面取ツール（５０）からなることを特徴とする多目的面取機。
【請求項３】
コーナー用回転カッター（３０）は外周縁に固定凹溝（２２）が形成され、前記固定凹溝（２２）には支持ホルダー（１０）が螺合される結合端部（８）に形成された工具孔（２３）を経由してアダプター（２０）に螺合されたセットスクリュー（２４）が挿入固定されたことを特徴とする請求項１または請求項２に記載の多目的面取機。
【請求項４】
アダプター（２０）の上部一側にはコーナー用回転カッター（３０）の挿入を制限して一定の位置を維持するストッパーピン（２５）が挿入口（２１）を塞ぐように貫通設置されたことを特徴とする請求項１または請求項２に記載の多目的面取機。
【請求項５】
両側面（４４）の交差部先端にはラウンド面（４６）が形成され、前記ラウンド面（４６）はコーナー用回転カッター（３０）の中心部刃先から外向きに突出して形成されたことを特徴とする請求項１または請求項２に記載の多目的面取機。
【請求項６】
面取機（７）に結合され、ガイド板（１１）に締結孔（１３）が形成された支持ホルダー（１０）と；
前記面取機（７）の動力軸（５）に結合され、中央に挿入口（２１）が形成されたアダプター（２０）と；
前記挿入口（２１）に固定軸（６１）が挟んで固定された曲線区間用回転カッター（６０）からなる一方；
前記曲線区間用回転カッター（６０）は固定軸（６１）に固定凹溝（２２）が形成され、前記固定凹溝（２２）には支持ホルダー（１０）が螺合される結合端部（８）に形成された工具孔（２３）を経由してアダプター（２０）に螺合されたセットスクリュー（２４）が挿入固定されたことを特徴とする多目的面取機。
【請求項７】
卓上用面取機（９）の上部に結合され、ガイド板（１１）に締結孔（１３）が形成された支持ホルダー（１０）と；
前記卓上用面取機（９）の動力軸（５）上端に形成され、中央に挿入口（２１）が形成されたアダプター（２０）と；
前記挿入口（２１）に挟んで固定されたコーナー用回転カッター（３０）と；
前記締結孔（１３）に螺合される固定具（４１）で貫通してガイド板（１１）の上部面に装着され、下部面内、外側に同心円上にカッター露出孔（１２）の内面及びガイド板（１１）の外面に密着する支持突起（４３）が形成され、両側面（４４）の交差部に干渉防止部（４５）が形成されたコーナー用面取ツール（４０ａ）からなることを特徴とする多目的面取機。
【発明の詳細な説明】
【技術分野】
【０００１】
本発明は加工部材の角を斜面に加工する面取機に関し、特に面取機にコーナー用面取ツールを装着した後、コーナーに位置した角を隙間なく加工し、面取作業の完成度を改善し、アダプターに結合されたコーナー用回転カッターを曲線区間用カッターに交替する簡単な方法で曲線区間を加工し、面取機の利用分野を拡大可能にする多目的面取機に関する。
【背景技術】
【０００２】
一般的に面取作業は鉄鋼、非鉄、樹脂の鋭い角部分を面取りするためのこととして、大抵製品の最後の加工工程として行われ、面取品質によって製品の品格が左右されるため、最大限に平面度を高めて鏡のように精度のよい斜面を得ることができるように注意を傾けている。
前記面取作業のための面取機は、電気またはエアー動力を利用してモーターを駆動させ、その駆動力で切削チップを回転させて加工部材の角を加工する。
かかる面取機に関する先行技術には、本発明の出願人によって先出願されて特許決定された韓国特許登録第５７５２０１号の名称『面取量の調節が容易な面取機』及び『韓国特許登録第６４４４００号名称『面取機の直線区間用面取装置』が提案されている。
ここで前記先行技術に対して簡略に考察すると、前者の先行技術は面取量調節具をスライディング移送させてロック状態を一時的に解除した後、分割された面取目盛りに合わせて面取量調節具を回転させる簡単な方法で面取量を微細且つ精緻に自由自在に調節して面取作業の品質を向上させるのは勿論のこと、前記面取量調節具は予め設定された面取量を正確に維持して常に均一性を有する作業品質を得ることができる有用な効果を提供するものであった。
また、後者の先行技術は基本的な曲線区間の面取作業は勿論のこと、選択的に支持ホルダーに直線面取ツールを装着して直線区間の面取作業が可能であり、前記直線区間の面取作業時に直線ガイドの回転角を微細範囲で自由に制御して作業者が面取機を最適な姿勢で把持して面取作業を行うことができる効果を提供するものであった。
【発明の概要】
【発明が解決しようとする課題】
【０００３】
かかる先行技術は有用な効果にもかかわらず、多少の改善点を内包するものであるため、これを改善してこそ面取作業の完成度及び品質向上を期待することができ、面取作業の利用分野をさらに拡大することができる。
即ち、前記の先行技術を含むその他全ての面取機は、図１３に図示されたように回転切削具の下端に設置されたガイドローラー（１）が加工部材（２）に形成されたコーナー（３）部分まで深く近接することができず、コーナー（３）に位置した角の面取作業は不可能であるため、面取作業の完成度及び品質が低下する問題点が惹起される。
また、従来の面取機はかかるコーナー区間を含んで直線区間、曲線区間の角を総合的に加工することができず、装備の効率性が低下するのは勿論のこと、その利用分野が制限されざるを得ない実情である。
【課題を解決するための手段】
【０００４】
したがって、本発明は上記の問題点を解消するためのものであり、
直角コーナー用面取ツール又は鋭角コーナー用面取ツールを選択的に装着してコーナーの深い位置にある角も隙間なく加工することができる技術、
前記コーナー用面取ツールとアダプターに結合されたコーナー用回転カッターを順次分離した後、前記アダプターに新たな曲線区間用回転カッターを結合してコーナー区間の角を滑らかに加工することができる技術、
前記直角コーナー用面取ツール及び鋭角コーナー用面取ツールは直線区間の角を加工する用途でも活用することができる技術を有する多目的面取機を提供することが本発明の一態様である。
【発明の効果】
【０００５】
本発明によると面取機に直角コーナー用面取ツール又は鋭角コーナー用面取ツールを装着すると同時に、動力軸に組立てられたアダプターにコーナー用回転カッターを結合することで、深く狭小なコーナーに位置した角を隙間なく斜面に加工し、面取作業の完成度及び品質をより一層向上する効果を提供する。
また、本発明は曲線区間角の面取作業時にコーナー用面取ツールを分離し、簡単な方法で交換した後、アダプターに曲線区間用回転カッターを装着し、それにより曲線区間の角専用で加工できるようにする。
さらに、前記直角コーナー用面取ツール又は鋭角コーナー用面取ツールを利用して長い直線区間の角を専用に加工する目的で活用することで装備の効率性を改善するのは勿論のこと、面取作業の利用分野及び活用度を拡大する効果を追加で提供する。
本発明によるこれらの、また他の態様および利点は以下の実施形態の記述および添付の図面から明らかになり、容易に理解されるであろう。
【図面の簡単な説明】
【０００６】
【図１】本発明の実施形態による多目的面取機の正面図である。
【図２】内部構造を示した、一部が切欠した縦断面図である。
【図３】直角コーナー用面取ツールの斜視図である。
【図４】本発明の支持ホルダーに直角コーナー用面取ツールが装着された状態の底面図である。
【図５】図４のＡ−Ａ線による断面図である。
【図６】本発明の直角コーナー用面取ツールが直角コーナーに密着した状態の底面図である。
【図７】本発明鋭角コーナー用面取ツールの斜視図及び前記鋭角コーナー用面取ツールが支持ホルダーに装着された状態の斜視図である。
【図８】本発明の鋭角コーナー用面取ツールが鋭角コーナーに密着した状態の底面図である。
【図９】本発明の支持ホルダーが分離する状態を示した縦断面図である。
【図１０】本発明のアダプターに曲線区間用回転カッターが挟まれる状態を示した縦断面図である。
【図１１】本発明の多目的面取機が卓上用に適用された状態の縦断面図である。
【図１２】本発明のコーナー用面取ツールが卓上用面取機に設置された状態の平面図である。
【図１３】従来のガイドローラーが加工部材のコーナーに密着した状態の例示図である。
【発明を実施するための形態】
【０００７】
ここでは、添付図面を参照しながら本発明の実施形態を詳細に説明する。
本発明の好ましい実施例による全体的な構成を概略的に考察すると、図１ないし図３に図示されている。
面取機（７）に結合され、ガイド板（１１）に締結孔（１３）（図９に示す）が形成された支持ホルダー（１０）と；前記面取機（７）の動力軸（５）に結合され、中央に挿入口（２１）（図１０に示す）が形成されたアダプター（２０）と；前記挿入口（２１）に挟んで固定されたコーナー用回転カッター（３０）と；直角コーナー用面取ツール（４０）を含んでいる。直角コーナー用面取ツール（４０）は、前記締結孔（１３）に係合される固定具（４１）を介してガイド板（１１）に螺合される。さらに、直角コーナー用面取ツール（４０）は、支持突起（４３）及び干渉防止部（４５）を含む。支持突起（４３）は、直角コーナー用面取ツールの上面に同心円状に、カッター露出孔（１２）の内面及びガイド板（１１）の外面に密着して形成される。干渉防止部（４５）は直角をなす両側面（４４）の交差部に形成される。
概略的な構成からなる本発明を容易に実施することができるように、より詳細に説明する。
先ず、本発明は面取持ち手（４）の内側に設置され、高圧のエアーで作動する動力軸（５）の回転動力を利用して回転カッターを稼動して加工部材（２）の角を加工し、面取量調節具（６）を回転させて面取量をワンタッチで調節する本発明の出願人による先登録発明である面取機（７）に相関して適用されるのは勿論のこと、前記面取機（７）に限らず、本発明で開示されない一般的な面取機や図１１のような卓上用面取機（９）にも繋げて使用することができる。
支持ホルダー（１０）は、かかる面取機（７）に形成された結合端部（８）（図９に図示）に着脱可能に螺合される。ガイド板（１１）は支持ホルダー（１０）内に形成される。該ガイド板（１１）の中央にはコーナー用回転カッター（３０）及び曲線区間用回転カッター（６０）が外部に露出するようにするカッター露出孔（１２）が形成される。前記ガイド板（１１）には直角コーナー用面取ツール（４０）または鋭角コーナー用面取ツール（５０）を選択的に装着するための締結孔（１３）が形成される。
この時、前記直角コーナー用面取ツール（４０）を装着した状態で、直線区間の面取作業時に面取作業の進行方向に沿う基準点を提示する基準面（１４）が、図４のように前記ガイド板（１１）の一側に直角コーナー用面取ツール（４０）の側面（４４）と平行に形成されることで面取作業による便宜性を提供することができるようになる。
前記面取機（７）の内側に回転可能に設置された動力軸（５）には、中央に挿入口（２１）が形成されたアダプター（２０）が一体に螺合され、該挿入口（２１）にコーナー用回転カッター（３０）または曲線区間用回転カッター（６０）を選択して組立てることで加工部材（２）のコーナーは勿論のこと、曲線区間の角を専用に加工することができるようになる。
前記コーナー用回転カッター（３０）は環状軸からなり、切削部は尖った山状のカッティング刃が形成された公知の回転カッターを有している。前記曲線区間用回転カッター（６０）は上部に固定軸（６１）が形成され、下端にはガイドローラー（１）が設置された公知の回転カッターが適用され、これをアダプター（２０）に選択して組立てられるように別途の固定手段が相関して繋がれる。
この目的のため、前記コーナー用回転カッター（３０）の外周縁及び固定軸（６１）の外周縁には固定凹溝（２２）が陷沒形成され、該固定凹溝（２２）には結合端部（８）に形成された工具孔（２３）を経由してアダプター（２０）に螺合されたセットスクリュー（２４）が挿入固定されることでコーナー用回転カッター（３０）及び曲線区間用回転カッター（６０）はアダプター（２０）の挿入口（２１）に挟まれた状態で遊動のない組立状態を維持し、特に前記工具孔（２３）はセットスクリュー（２４）を操作するための工具（六角レンチなど）の挿入空間を提供するのは勿論のこと、セットスクリュー（２４）が通過可能な移動経路を提供する役目を兼ねる。
そして、前記アダプター（２０）の上部一側にはコーナー用回転カッター（３０）及び曲線区間用回転カッター（６０）を挿入口（２１）に挿入する時に過度な挿入を制限するストッパーピン（２５）が挿入口（２１）を貫通して設置されることで、前記ストッパーピン（２５）はコーナー用回転カッター（３０）及び曲線区間用回転カッター（６０）の下端部が常に一定の位置を維持する役目を果たし、回転カッターを交替しても面取量の変化はなくなる。
前記支持ホルダー（１０）のガイド板（１１）に密着状態で装着される直角コーナー用面取ツール（４０）は、コーナー用回転カッター（３０）と有機的な構成を通じて加工部材（２）に直角に形成されたコーナー（３）に深く位置する角を隙間なく加工するための本発明の核心技術である。
このための直角コーナー用面取ツール（４０）は、図３及び図４のようにガイド板（１１）の締結孔（１３）に螺合される固定具（４１）の貫通孔（４２）が貫通された状態でガイド板（１１）に装着され、上部面には内、外側に同心円上にカッター露出孔（１２）の内面及びガイド板（１１）の外面に密着状態で支持される支持突起（４３）がそれぞれ離隔設置され、両側面（４４）が接する交差部にはコーナー用回転カッター（３０）を干渉しないようにする干渉防止部（４５）が陷沒形成される一方、前記両側面（４４）は直交状態をなしながら直角を形成する。
したがって、前記直角コーナー用面取ツール（４０）は、図６のように加工部材（２）に直角に形成されたコーナー（３）に密着した状態でコーナー（３）に位置する角を専用に隙間なく加工することができるようになる。
そして、本発明は、図８のように加工部材（２）に鋭角に形成されたコーナー（３）に深く位置する角を隙間なく加工する鋭角コーナー用面取ツール（５０）がガイド板（１１）の締結孔（１３）に螺合される固定具（４１）で貫通してガイド板（１１）に装着される。
鋭角コーナー用面取ツール（５０）の上部面には内、外側に同心円上にカッター露出孔（１２）の内面及びガイド板（１１）の外面に密着状態で支持される支持突起（４３）が設置され、両側面（４４）が接する交差部には干渉防止部（４５）が陷沒形成される一方、前記両側面（４４）は鋭角をなすのが直角コーナー用面取ツール（４０）と異なる点である。
したがって、前記鋭角コーナー用面取ツール（５０）は加工部材（２）に鋭角に形成された狭小なコーナー（３）に密着した状態でコーナー（３）に位置する角を専用に隙間なく加工することができるようになる。
かかる直角コーナー用面取ツール（４０）及び鋭角コーナー用面取ツール（５０）は同一の構成からなるが、両側面（４４）の間の角度が異なり、両者共にいずれか一つの側面（４４）を加工部材（２）の直線区間に密着させた状態で直線区間の角を加工する用途で活用することができる。
また、前記直角コーナー用面取ツール（４０）及び鋭角コーナー用面取ツール（５０）は、共通して図３および７のように両側面（４４）が接する交差部先端にラウンド面（４６）が追加で形成され、該ラウンド面（４６）はコーナー用回転カッター（３０）の中心部刃先よりも外向きに一定の距離（L）突出して形成される。
これは前記ラウンド面（４６）が加工部材（２）の側面に密着し、前記ラウンド面（４６）に垂直線上に位置したカッティング刃が面取作業の開始点となる。したがって、前記ラウンド面（４６）がコーナー用回転カッター（３０）の中心部刃先と同一位置にある場合には面取作業が滑らかに行われない。よって、面取作業が滑らかに行われないのを未然に防ぐために、前記ラウンド面（４６）はコーナー用回転カッター（３０）の中心部刃先から一定の距離（Ｌ）突出して形成される。
一方、本発明は加工部材（２）のコーナー及び直線区間の角を加工することに制限されない。前記直角コーナー用面取ツール（４０）及び鋭角コーナー用面取ツール（５０）を共に除去した後、コーナー用回転カッター（３０）を曲線区間用回転カッター（６０）と取り替え、組立てることで曲線区間の角を滑らかに加工することができるようになる。
このため、前記挿入口（２１）には曲線区間用回転カッター（６０）の固定軸（６１）が挟まれ、前記固定軸（６１）の外周縁には固定凹溝（２２）が形成され、該固定凹溝（２２）には支持ホルダー（１０）が螺合される結合端部（８）に形成された工具孔（２３）を経由してアダプター（２０）に螺合されたセットスクリュー（２４）が挿入固定されることで、前記ガイド板（１１）を加工部材（２）の上部面に密着させた状態で曲線区間に沿って移動しながら曲線区間の角を専用に加工して面取機の利用分野を拡大することができるようになる。
また、本発明は前記で言及したような卓上用面取機（９）にも適用して実施することができ、前記卓上用面取機（９）の構造的な特性上、支持ホルダー（１０）、アダプター（２０）、コーナー用回転カッター（３０）及びコーナー用面取ツール（４０ａ）が全体的に上部に向くように設置され、この場合、コーナー用面取ツール（４０ａ）が作業者の視線に入るため、作業が極めて容易になる。
即ち、前記卓上用面取機（９）の上部に設置された結合端部（８）にはガイド板（１１）の上部面に締結孔（１３）が形成された支持ホルダー（１０）が結合され、図示されていないが、前記支持ホルダー（１０）及び結合端部（８）は別途の締結具で貫通して結合されることでさらに堅固な結合状態を維持することができるようになる。
そして、前記卓上用面取機（９）に設置された動力軸（５）の上端には中央に挿入口（２１）が形成されたアダプター（２０）が一体に形成され、前記挿入口（２１）にコーナー用回転カッター（３０）が挟んで固定される一方、前記ガイド板（１１）の上部面には固定具（４１）で貫通して直角または鋭角を有するコーナー用面取ツール（４０ａ）が装着され、前記コーナー用面取ツール（４０ａ）は下部面内、外側に同心円上にカッター露出孔（１２）の内面及びガイド板（１１）の外面に密着する支持突起（４３）が形成され、両側面（４４）の交差部には干渉防止部（４５）が形成される構成からなることで、一般的な卓上用面取機（９）を多目的面取機に変換して面取機の性能をより一層向上することができるようになる。
【符号の説明】
【０００８】
２: 加工部材                    ３: コーナー
５: 動力軸                      １０: 支持ホルダー
１３: 締結孔                    ２０: アダプター
２１: 挿入口                    ２３: 工具孔
２４: セットスクリュー          ３０: コーナー用回転カッター
４０: 直角コーナー用面取ツール  ４３: 支持突起
４４: 両側面                     ５０: 鋭角コーナー用面取ツール
６０: 曲線区間用回転カッター     ６１: 固定軸
【図１】
2011500342.tif 000003
【図２】
2011500342.tif 000004
【図３】
2011500342.tif 000005
【図４】
2011500342.tif 000006
【図５】
2011500342.tif 000007
【図６】
2011500342.tif 000008
【図７】
2011500342.tif 000009
【図８】
2011500342.tif 000010
【図９】
2011500342.tif 000011
【図１０】
2011500342.tif 000012
【図１１】
2011500342.tif 000013
【図１２】
2011500342.tif 000014
【図１３】
2011500342.tif 000015
【国際調査報告】
2011500342.tif 000016
2011500342.tif 000017